(57)【要約】【課題】  簡易浴槽において、浴槽内への出入りに支障が生じることを避けつつ、容易に組み立て可能とする。【解決手段】  可撓性の板状部材を筒状に組み立て、これに樹脂製の簡易浴槽用シートを取り付けることによって簡易浴槽を構成する。簡易浴槽用シートは、平坦なシートではなく、袋の一側辺をカットすることによって形成したような半袋状の形状とする。解放側の角は、面取り状態に直線または曲線で切除してもよい。  簡易浴槽用シートを、このように半袋状とすることにより、簡易浴槽の組み立て過程で、設置した浴槽枠に取り付けた簡易浴槽用シートが外れにくく、容易に組み立てることが可能となる。また、半袋状の形状であるため、簡易浴槽への出入りに支障が生じることもない。【選択図】  図３
2013248071.tif 000002
【特許請求の範囲】
【請求項１】
側面の一方向を開口可能な浴槽枠の内部に取り付けることによって簡易浴槽を構成する簡易浴槽用シートであって、
防水性の素材で構成され、
袋の一側辺を解放した半袋状の形状をなし、
上下方向の長さは、前記浴槽枠の高さよりも長く、
横方向の長さは、前記半袋状の閉じた側辺を前記浴槽枠上端に取り付けた上で、前記解放した側辺の底部を持ち上げ前記浴槽枠上端に取り付けた状態で、前記半袋状の底辺の一部が底に接し得る長さを有する
簡易浴槽用シート。
【請求項２】
請求項１記載の簡易浴槽用シートであって、
前記上下方向の長さよりも、前記横方向の長さが長い形状をなしている
簡易浴槽用シート。
【請求項３】
請求項１または２記載の簡易浴槽用シートであって、
前記上下方向の長さは、前記浴槽枠上端からの折り返しが２０ｃｍ以上となる
簡易浴槽用シート。
【請求項４】
請求項１〜３いずれか記載の簡易浴槽用シートであって、
前記半袋状に閉じた２辺は、略直角部分をなしており、
前記直角部分への浸水を防ぐように半袋状の表面および裏面を溶着した部位を有する
簡易浴槽用シート。
【請求項５】
請求項１〜４いずれか記載の簡易浴槽用シートであって、
少なくとも一部を開口または破断させやすい易破断部を設けた
簡易浴槽用シート。
【請求項６】
簡易浴槽であって、
側面の一方向を開口可能な形状を有する浴槽枠と、
前記浴槽枠の内部に取り付けられる簡易浴槽用シートとを有し、
該簡易浴槽用シートは、
防水性の素材で構成され、
袋の一側辺を解放した半袋状の形状をなし、
上下方向の長さは、前記浴槽枠の高さよりも長く、
横方向の長さは、前記半袋状の閉じた側辺を前記浴槽枠上端に取り付けた上で、前記解放した側辺の底部を持ち上げ前記浴槽枠上端に取り付けた状態で、前記半袋状の底辺の一部が底に接し得る長さを有する
簡易浴槽。
【請求項７】
請求項６記載の簡易浴槽であって、
前記浴槽枠は、筒状に巻き床面に自立させることによって前記簡易浴槽の側面を形成する可撓性の板状部材である
簡易浴槽。
【発明の詳細な説明】
【技術分野】
【０００１】
本発明は、防水シートに貯湯する型の簡易浴槽に関する。
【背景技術】
【０００２】
従来、折りたたみ可能な浴槽枠に、防水袋または防水シートを取り付けた種々の簡易浴槽が知られている。簡易浴槽の中には、要介護者が利用しやすいよう、浴槽枠の一部が出入口として開口できる構造となっており、浴槽枠を乗り越えなくても入浴できるものがある。特許文献１は、かかる簡易浴槽として、簀巻き状にして円筒形を作り床面上に自立する板状の浴槽枠の内側に、防水シートを取り付けた構造を開示している。
【先行技術文献】
【特許文献】
【０００３】
【特許文献１】特許第４３３００３２号公報
【発明の概要】
【発明が解決しようとする課題】
【０００４】
浴槽枠の一部が開口できる簡易浴槽において袋状の防水袋を用いると、防水袋が出入り口を塞いでしまうため、出入りに支障が生じる。
一方、平坦な防水シートを用いると、簡易浴槽を組み立てる過程で、防水シートが浴槽枠から外れやすく、容易に組み立てられないことがある。
本発明は、かかる課題に鑑み、簡易浴槽において、浴槽内への出入りに支障がなく、容易に組み立て可能とすることを目的とする。
【課題を解決するための手段】
【０００５】
本発明は、側面の一方向を開口可能な浴槽枠の内部に取り付けることによって簡易浴槽を構成する簡易浴槽用シートであって、
防水性の素材で構成され、
袋の一側辺を解放した半袋状の形状をなし、
上下方向の長さは、前記浴槽枠の高さよりも長く、
横方向の長さは、前記半袋状の閉じた側辺を前記浴槽枠上端に取り付けた上で、前記解放した側辺の底部を持ち上げ前記浴槽枠上端に取り付けた状態で、前記半袋状の底辺の一部が底に接し得る長さを有する
簡易浴槽用シートとすることができる。
【０００６】
本発明の簡易浴槽用シートは、半袋状の形状をなしているため、平面形状のシートに比較し、設置した浴槽枠に添いやすい。従って、簡易浴槽の組み立て過程で、設置した浴槽枠に取り付けた簡易浴槽用シートが外れにくく、容易に組み立てることが可能となる。
また、半袋状の形状であるため、簡易浴槽用シートの解放された側辺を浴槽枠の出入口に合わせることにより、特に要介護者の場合、簡易浴槽への出入りに支障が生じることを抑制できる利点がある。
このように、本発明の簡易浴槽用シートによれば、簡易浴槽において、浴槽内への出入りにおける支障を回避しつつ、容易に組み立て可能という２つの課題を併せて解決することができる。
【０００７】
本発明における浴槽枠は、一部が開口可能な種々の構造を適用することができる。例えば、組合せ可能な複数の側壁板を組み合わせて浴槽枠を形成する構造、複数の側壁板を連結した構造、筒状に巻き床面に自立させることによって簡易浴槽の側面を形成する可撓性の板状部材などが挙げられる。床面の有無は問わない。
【０００８】
簡易浴槽用シートの閉じた側は、角を持たせた形状としてもよいし、円弧状としてもよい。解放側も同様に、直角または直角を面取りした形状としてもよいし、円弧状としてもよい。
閉じた側に角を持たせる場合、半袋状の閉じた２辺にマチを付した形状としてもよいし、マチを付さずに単に表面と裏面の素材を２辺で閉じた形状としてもよい。後者の場合、２辺を溶着した態様、素材を側辺にて折り返し底辺を溶着した態様、素材を底辺にて折り返し側辺を溶着した態様などをとることができる。
【０００９】
本発明の簡易浴槽用シートは、種々の形状をとることができる。
例えば、前記上下方向の長さよりも、前記横方向の長さが長い形状をなしているものとしてもよい。
上下方向とは浴槽枠の高さ方向をいい、横方向とは上下方向に直交する方向である。上述の態様とすれば、上下方向よりも横方向が長いため、簡易浴槽の組み立てに際して、解放した側辺の底部を持ち上げる作業を容易に行うことができる。
【００１０】
また、本発明の簡易浴槽用シートにおいて、
前記上下方向の長さは、前記浴槽枠上端からの折り返しが２０ｃｍ以上となるようにしてもよい。
こうすることにより、浴槽枠からずり落ちないよう簡易浴槽用シートを容易に取り付けることが可能となる。２０ｃｍという値は、本願発明者が、異なる折り返し長さで、複数名による簡易浴槽の組み立て試験を行った結果、簡易浴槽用シートがずり落ちずに取り付けやすいとの評価を得た長さである。
上記上下方向の寸法は、浴槽枠の高さ、浴槽枠の開口部の幅に応じて定めることができる。
【００１１】
本発明の簡易浴槽用シートにおいて、
前記半袋状に閉じた２辺が、略直角をなしている場合には、
前記直角部分への浸水を防ぐように半袋状の表面および裏面を溶着した部位を有するものとしてもよい。
閉じた２辺が略直角部分をなしている場合、簡易浴槽に湯水を貯めた際の水圧が、この直角部分にかかることによって角の部分が突出し、浴槽枠を変形させたり、浴槽枠の下部からはみ出したりすることがある。また、略直角部分となっている場合には、いわゆる応力集中による損傷が生じることもある。
これに対し、上述の態様で溶着させることにより、直角部分への浸水を防止し、水圧によって直角部分が突出すること等を回避することができる。
上述の態様での溶着は、種々の方法で行うことができる。例えば、簡易浴槽用シートを閉じた状態で、上述の閉じた２辺を結ぶ直線または曲線に沿って表面と裏面とを溶着してもよい。また、いわゆるマチを形成するように、角から等距離にある側辺の一点と底辺の一点とを合わせるように直角部分を折り開いた上で、側辺および底辺に交差する方向に表面同士、裏面同士を溶着してもよい。
【００１２】
本発明の簡易浴槽用シートにおいては、
少なくとも一部を開口または破断させやすい易破断部を設けてもよい。
こうすることにより、簡易浴槽用シートを容易に開口または破断させることができ、迅速な排水を実現することができる。特に、緊急に排水が必要になったときなどに有用性が高い。
易破断部としては、例えば、次のような構成をとることができる。
第１に、簡易浴槽用シートの一部に予め開口を設け、該開口を封印する封印部材を適用した構成とすることができる。こうすれば封印部材を除去することにより、容易に開口を形成することができる。簡易浴槽外から容易に封印部材を除去できるよう、封印部材につまみ、紐などを取り付けておいてもよい。
第２に、簡易浴槽用シートの一部に、一連の微細な孔、またはミシン目を設ける構成とすることができる。孔またはミシン目は直線状、曲線状に配置してもよいし、いわゆるマジックカット（登録商標）のように、一定の領域に集中的に配置してもよい。こうすることにより、簡易浴槽用シートを容易に破断させることができる。
第３に、簡易浴槽用シートの一部に、簡易浴槽用シートよりも引っ張り強さが強い素材からなる開封テープまたは開封紐を貼付させた構成とすることができる。こうすることにより、開封テープまたは開封紐を引くことで、簡易浴槽用シートを容易に破断させることができる。さらに破断しやすくするため、開封テープ等に添って、孔またはミシン目を設けてもよい。
【００１３】
本発明においては、上述した種々の特徴を全て備えている必要はなく、適宜、その一部を省略したり、組み合わせたりして構成することも可能である。
また、本発明は、上述の簡易浴槽用シートを用いた簡易浴槽として構成することもできる。
即ち、折りたたみ可能な簡易浴槽であって、
折りたたみ可能であるとともに、側面の一方向を開口可能な形状を有する浴槽枠と、
前記浴槽枠の内部に取り付けられる簡易浴槽用シートとを有し、
該簡易浴槽用シートは、
防水性の素材で構成され、
袋の一側辺を解放した半袋状の形状をなし、
上下方向の長さは、前記浴槽枠の高さよりも長く、
横方向の長さは、前記半袋状の閉じた側辺を前記浴槽枠上端に取り付けた上で、前記解放した側辺の底部を持ち上げ前記浴槽枠上端に取り付けた状態で、前記半袋状の底辺の一部が底に接し得る長さを有する
簡易浴槽である。
簡易浴槽用シートについては、先に説明した種々の特徴を適用可能である。
【００１４】
また、上述の簡易浴槽において、浴槽枠は種々の構成をとることができ、例えば、
前記浴槽枠は、筒状に巻き床面に自立させることによって前記簡易浴槽の側面を形成する可撓性の板状部材であるとしてもよい。
こうすることによって、開口の形成が容易、組み立て容易、組み立て時のサイズ調整容易、折りたたみ容易という種々の利便性を兼ね備えた簡易浴槽を形成することができる。
【図面の簡単な説明】
【００１５】
【図１】浴槽枠の斜視図である。
【図２】簡易浴槽用シートの形状を示す説明図である。
【図３】簡易浴槽の組み立て過程を示す説明図である。
【図４】組み立て状態の簡易浴槽の斜視図である。
【図５】実施例２としての簡易浴槽用シートの形状を示す説明図である。
【図６】実施例３としての簡易浴槽用シートの形状を示す説明図である。
【発明を実施するための形態】
【実施例１】
【００１６】
実施例としての簡易浴槽および簡易浴槽用シートについて説明する。実施例の簡易浴槽は、浴槽枠を床面に自立させ、これに簡易浴槽用シートを取り付けることによって形成される。
図１は実施例の浴槽枠１の斜視図である。組み立て当初、浴槽枠１をＵ字状に床面に設置した状態を図示した。浴槽枠１は樹脂製の板状部材であり、すだれのように巻いて収納できるよう可撓性を持たせた構造となっている。
かかる構造としては、例えば、薄い板状部材上に断面コ又はロ状の縦長の樹脂製棒状部材を幅方向に多数配置した形状とすることができる。かかる形状を樹脂で一体成形してもよい。また、別の構造として、縦方向に水圧その他の使用時の荷重に耐えうる十分な剛性を有する樹脂製または金属性の棒状または板状部材を、幅方向に多数配置し、薄い樹脂製の部材で被覆した構造としてもよい。
浴槽枠１には、組み立て時に、両端を閉じたまま保持するためのベルト２が複数、取り付けられている。図中では、浴槽枠１の下方にベルト２を２本取り付けた例を示したが、ベルト２の本数、および取り付け位置は、これに限らず、任意に決めることができる。
以下の説明では、図示するようにＵ字状に設置した状態の浴槽枠１の開口部の半幅Ｒを「開口半径」と称し、縦方向の寸法を、「高さ」と呼ぶこともある。
【００１７】
図２は、簡易浴槽用シート２０の形状を示す説明図である。図２（ａ）には、簡易浴槽用シート２０の平面形状を示し、図２０（ｂ）には、やや開いた状態の斜視図を示した。簡易浴槽用シート２０は、その端を、図１に示した浴槽枠１の上端に被せるように取り付けられるものである。
簡易浴槽用シート２０は、浴槽枠１に取り付けられた上で簡易浴槽の湯水を貯蔵する役割を果たすものであるため、防水性を有する素材で形成されている。かかる素材としては、樹脂を用いることができ、例えば、ポリエチレン、特に耐ピンホール性、耐水性に優れるＬ−ＬＤＰＥ（リニアポリエチレンまたは直鎖状低密度ポリエチレンと称されることもある）が好ましい。簡易浴槽用シート２０の厚さは、使用に耐える範囲で薄くすることが、取り扱い面およびコスト面で好ましい。本願出願人の実験によれば、ポリエチレンの場合、厚さ０．０３ｍｍ程度が好ましかった。
簡易浴槽用シート２０には、その他、塩化ビニルや、ポリプロピレンなどの素材を用いてもよい。
【００１８】
実施例の簡易浴槽用シート２０は、図２（ａ）に示すように平面矩形状の半袋である。図２（ａ）は、表面と裏面とを合わせて折りたたんだ状態を示しており、ハッチングを付した側辺２０ａおよび底辺２０ｂは閉じた辺、側辺２０ｃ、上辺２０ｄは解放された辺となっている。図２（ｂ）は、簡易浴槽用シート２０を開いた状態を示している。
閉じた辺である側辺２０ａ、底辺２０ｂは、ともに表面と裏面とを溶着させた辺とすることもできるが、本実施例では、底辺２０ｂは樹脂のシートを折り返した辺、側辺ａは溶着した辺とした。かかる形状は、例えば、樹脂製の袋の側辺２０ｃ側の溶着部分を切除することによって形成することもできる。底辺２０ｂを溶着ではなく、折り返した辺とすることにより、簡易浴槽の底に溶着部分が来ることを避けることができ、溶着部分が使用時に支障になることを回避できる。
平面形状については、図示するように矩形としてもよいし、破線で示した切除線２０ｅに示すように、解放側の角を面取りするように切除してもよい。図示するように直線状に切除してもよいし、円弧状などの曲線状に切除してもよい。解放側の角を切除することによって、簡易浴槽を組み立てた際に、浴槽枠１の周りに余剰の簡易浴槽シート２０が無用なひだを形成するのを抑制することができ、無駄のない外観を呈することが可能となる利点がある。
【００１９】
簡易浴槽用シート２０の寸法は、「縦方向の長さｈ＜横方向の長さｗ」となっている。こうすることにより、後述する通り、簡易浴槽の組み立てが容易になる利点がある。
また、縦方向の長さｈは、図１に示した浴槽枠１に取り付けた際に、Ｕ字状の奥の部分だけでなく、出入り口部分においても、その上端からの折り返しが２０ｃｍ以上となる寸法となっている。図１に示した開口半径Ｒ、高さＨを用いて説明すれば、例えば、「ｈ＞Ｒ＋Ｈ＋２０ｃｍ」なる寸法とすることができる。このような寸法とすることにより、簡易浴槽の組み立て時に、簡易浴槽用シート２０が浴槽枠１からはずれにくく、組み立てが容易になる利点がある。
【００２０】
簡易浴槽用シート２０の閉じた角２０ｇは、ここに浸水しないよう、側辺２０ａと底辺２０ｂとを直線状に結ぶ容着線２０ｆで表面と裏面とを溶着してもよい。簡易浴槽用シート２０を浴槽枠１に取り付け、貯水すると、水圧によって、角２０ｇが突出し浴槽枠１の下部からはみ出したり、角２０ｇの部分が破れやすくなったりすることがある。これに対し、容着線２０ｆで溶着すると、角２０ｇの部分を直角ではなく鈍角にすることができるため、こうした水圧による影響を緩和することが可能となる。図の例では、直線状に容着する例を示したが、曲線状に容着してもよい。
【００２１】
図３は簡易浴槽の組み立て過程を示す説明図である。図示するように、床面にＵ字状に自立させた浴槽枠１の上端に、簡易浴槽用シート２０の端を被せるように取り付ける。簡易浴槽用シート２０の閉じた側辺２０ａ、底辺２０ｂがＵ字状に自立された浴槽枠１の中心線上に乗るよう、左右のバランス良く被せることが好ましい。簡易浴槽用シート２０の上端を浴槽枠１から折り返す長さＬは、２０ｃｍ以上とすることが好ましい。もっとも、折り返し長さＬは、長ければ良いというものではなく、簡易浴槽用シート２０の底辺２０ｂが床面から離れない範囲に抑えるものとする。
簡易浴槽用シート２０は半袋状であるため、平坦なシートを用いるよりも取り付け時に浴槽枠１に添いやすく、浴槽枠１の全般にわたって簡易浴槽用シート２０を被せることができ、組み立て途中で簡易浴槽用シート２０を浴槽枠１から外れにくいという利点がある。また、半袋状としたことにより、簡易浴槽用シート２０の解放側の側辺２０ｃは、浴槽枠１への取り付け時に床面に広がり、簡易浴槽を利用する要介護者Ｐの入り口となる。仮に、簡易浴槽用シート２０を袋状とすると、入り口付近で余剰のシートがひだ状になってしまい、シャワーキャリーなど浴用の車イスに要介護者Ｐを座らせた状態で簡易浴槽内に搬入する際の支障になるおそれがあるが、本実施例では、半袋状であるため、こうした支障を回避することができる利点がある。また、搬入の支障にならないということは、搬入時に車イスなどにひっかかって簡易浴槽用シート２０が破損することを回避できることにもなる。
このように要介護者Ｐを簡易浴槽内に搬入した後、簡易浴槽用シート２０の解放側の側辺２０ｃを浴槽枠１の上端まで持ち上げながら、浴槽枠１を筒状に巻く。そして、浴槽枠１の両端を重ねて開口部を閉じた後、ベルト２を留めることによって、簡易浴槽を組み立てる。
【００２２】
図４は、組み立て状態の簡易浴槽の斜視図である。要介護者Ｐの図示は省略した。図示する通り、簡易浴槽は、筒状の浴槽枠１をベルト２で保持し、簡易浴槽用シート２０を被せた状態の構造となっている。浴槽枠１の両端の重ねしろを調整することにより、簡易浴槽の径を容易に調整できる利点がある。ここでは、略円筒形に形成した例を示したが、浴槽枠１は可撓性の板状部材であるから、円筒形以外に、簡易浴槽を設置する場所に応じて自在な形状とすることができる。
図２（ａ）の線分２０ｅに示したように、解放側を切除しておくことにより、浴槽枠１からはみ出す余剰の簡易浴槽用シート２０を少なくし、外観を向上させることが可能となる。
【実施例２】
【００２３】
実施例２としての簡易浴槽について説明する。この簡易浴槽は、実施例１と同様の浴槽枠１を用いるが、簡易浴槽用シートの形状が実施例１とは相違する。
図５は、実施例２としての簡易浴槽用シート３０の形状を示す説明図である。図５（ａ）には斜視図を示した。図示する通り、簡易浴槽用シート３０は、実施例１と同様、半袋状の形状となっている。図では、簡易浴槽用シート３０の外側と内側とが判別しやすいよう、外側にハッチングを付して示した。閉じた側の辺は、側辺３０ａ、底辺３０ｂであり、解放側の辺は、側辺３０ｃ、上辺３０ｄである。
簡易浴槽用シート３０の平面形状は、実施例１と同様（図２（ａ））、平面矩形状とすることができる。解放側の角も、実施例１における線分２０ｅのように、直線状または曲線状に切除してもよい。
半袋状の形状をなしているため、実施例２の簡易浴槽用シート３０も、実施例１と同様、浴槽枠１に取り付けやすい等の効果を奏することができる。
【００２４】
実施例２の簡易浴槽用シート３０では、以下に説明する通り、閉じた側の角の処理が実施例１と相違する。本明細書では、表裏と、外側内側とを次の通り使い分けている。図５（ａ）に示すように、簡易浴槽用シート３０について、湯水が貯まる側を内側、浴槽枠１に触れる側（ハッチングを付した側）を外側と呼ぶ。これに対し、簡易浴槽用シート３０を、図２（ａ）に示すように平面的に置いた場合に、上側に来る一方の面を表面、逆の面を裏面と称する。
実施例２では、図５（ｂ）に示すように、閉じた側の側辺３０ａを、底辺３０ｂに一致させるように、いわゆる袋折り状態にする。そして、図５（ｃ）に示すように、角３０ｇに浸水しないように側辺３０ａに直交する線分３０ｆで溶着する。線分３０ｆは、簡易浴槽用シート３０の表面同士、裏面同士を溶着するものとなる。
図５（ｄ）は、溶着した部分を示す斜視図である。図示するように、溶着した線分３０ｆは、側辺３０ａおよび底辺３０ｂに直交している。角３０ｇは、図示するように、底辺３０ｂの下側に折り込むことができる。こうすることで、簡易浴槽用シート３０に湯水を貯めると、水圧によって角３０ｇの部分を押さえ込むことができ、角３０ｇが外側に突出等することを回避することができる。
【実施例３】
【００２５】
図６は、実施例３としての簡易浴槽用シートの形状を示す説明図である。実施例３においても実施例１と同様の浴槽枠１を用い、これに半袋状の簡易浴槽用シートを取り付けて簡易浴槽を形成する。実施例３では、以下に示すように、開口または破断を容易にする易破断部としての構成を備え、排水を容易している点で実施例１、実施例２と相違する。
【００２６】
図６（ａ）は、簡易浴槽用シート４０の斜視図であり、排水口を容易に開けられる構造例を示したものである。この簡易浴槽用シート４０は、底の部分に、予め排水用の孔４１が形成されており、この孔４１を覆うようにシール４２が貼付されている。シール４２には、紐４３が取り付けられている。実施例では、孔４１を１個だけ設けた例を示しているが、複数設けても良い。
簡易浴槽としての使用時には、シール４２を貼付した状態で、簡易浴槽用シート４０を浴槽枠１に取り付ける。湯水を貯蔵すると、水圧によってシール４２が孔４１に押しつけられるため、漏水を防止できる。
この状態で、紐４３を引っ張り、シール４２をはがすと、孔４１が表れ、排水を促すことができる。この例では、孔４１を底部分に設ける例を示したが、孔４１の位置は任意に設定可能であり、側面に設けてもよい。
【００２７】
図６（ｂ）は、他の構造としての半袋状の簡易浴槽用シート５０の平面形状を示している。閉じた辺は、側辺５０ａ、底辺５０ｂである。
簡易浴槽用シート５０では、底辺５０ｂの垂直二等分線に相当する位置に、ミシン目５１が形成されている。ミシン目５１は、簡易浴槽用シート５０の表面のみに形成してもよいし、表裏両面に形成してもよい。ミシン目５１を形成する一つ一つの孔は、貯水時に漏水しない程度に、十分、微小なものとする。孔の間隔は、簡易浴槽用シート５０をミシン目５１に沿って破断できる程度に設定すればよい。
かかる簡易浴槽用シート５０によれば、ミシン目５１に沿って簡易浴槽用シート５０を引き裂くように破断させることによって、容易に排水することができる。
ミシン目５１を形成する孔は、図６（ｂ）に示すように直線状に配列する例に限らず、曲線状に配列したり、一部の領域のみに形成するようにしてもよい。また、ミシン目５１の位置は、底辺５０ｂの中央付近である必要もなく、底辺５０ｂに対して斜めに形成してもよい。もっとも、簡易浴槽用シート５０を容易に破断させることができるよう、ミシン目５１の少なくとも一部が、上辺５０ｄに到達していることが好ましい。
【００２８】
図６（ｃ）は、更に他の構造としての半袋状の簡易浴槽用シート６０の平面形状を示している。閉じた辺は、側辺６０ａ、底辺６０ｂである。
簡易浴槽用シート６０では、底辺６０ｂの垂直二等分線に相当する位置に、開封テープ６１が備えられている。開封テープ６１は、簡易浴槽用シート６０よりも引っ張り強度の強い樹脂材で形成されたテープまたは紐である。開封テープ６１は、簡易浴槽用シート６０の表面のみに形成してもよいし、表裏両面に形成してもよい。開封テープ６１の片側または両側で簡易浴槽用シート６０に切り込みまたは微細な孔を設けておいても良い。
かかる簡易浴槽用シート６０によれば、開封テープ６１を引っ張ることによって、この部分で、簡易浴槽用シート６０を容易に破断させることができ、容易に排水することができる。
【００２９】
以上で説明した各実施例の簡易浴槽用シートを用いれば、半袋状の形状をなしているため、要介護者の搬入を容易に行いつつ、簡易浴槽の組み立てを容易に行うことができる利点がある。
以上で説明した各実施例は、全ての特徴を同時に備えている必要はなく、適宜、一部を省略してもよい。また、実施例１〜３を適宜、組み合わせて適用することも可能である。
本発明は、上述の実施例に限らず、種々の変形例をとることができる。例えば、浴槽枠は、必ずしも実施例で示した可撓性の板状部材を用いたものに限らず、複数の部材を組み合わせて形成するものであってもよい。
【産業上の利用可能性】
【００３０】
本発明は、防水シートに貯湯する型の簡易浴槽に利用可能である。
【符号の説明】
【００３１】
１…浴槽枠
２…ベルト
２０、３０、４０、５０、６０…簡易浴槽用シート
２０ａ、３０ａ、５０ａ、６０ａ…側辺
２０ｂ、３０ｂ、５０ｂ、６０ｂ…底辺
２０ｃ、３０ｃ…側辺
２０ｄ、３０ｄ、５０ｄ…上辺
２０ｅ…切除線
２０ｆ、３０ｆ…容着線
２０ｇ、３０ｇ…角
４１…孔
４２…シール
４３…紐
５１…ミシン目
６１…開封テープ
【図１】
2013248071.tif 000003
【図２】
2013248071.tif 000004
【図３】
2013248071.tif 000005
【図４】
2013248071.tif 000006
【図５】
2013248071.tif 000007
【図６】
2013248071.tif 000008